(57)【要約】【課題】ハウジング同士の嵌合作業を円滑に行うことが可能なコネクタを提供すること。【解決手段】オスハウジング２０のビーク部３５は、頂部を境に、オスハウジング２０の前方側にオスハウジング２０の後方へ向かって次第に外方へ傾斜する押し戻し面３６を有し、オスハウジング２０の後方側にオスハウジング２０の後方へ向かって次第に内方へ傾斜する引き込み面３７を有する。オスハウジング２０の係止突起３２とメスハウジング５０のロック片６４との境に嵌合保証部材８０の係止アーム９０の係止爪９１が達した時点で、嵌合保証部材８０の弾性アーム９５の押圧爪９６がビーク部３５の頂部を越えて引き込み面３７側に配置される。【選択図】図１１
2020068128.tif 000002
【特許請求の範囲】
【請求項１】
第一ハウジングと、前記第一ハウジングに嵌合される第二ハウジングと、前記第二ハウジングに組付けられて前記第一ハウジングに対する前記第二ハウジングの嵌合状態を保証する嵌合保証部材と、を備えたコネクタであって、
前記第一ハウジングは、それぞれ外周面から外方へ突出する係止突起及びビーク部を備え、
前記第二ハウジングは、前記第一ハウジングと嵌合されることで前記係止突起を乗り越えて係止するロック片を有するロックアームを備え、
前記嵌合保証部材は、前記ロック片を押圧して前記係止突起を乗り越えさせるとともに、前記係止突起及び前記係止突起を係止した前記ロック片を乗り越えて係止する係止爪を有する係止アームと、前記第一ハウジングに対する前記第二ハウジングの嵌合途中に、先端の押圧爪が前記ビーク部と接触することで弾性変形して前記第一ハウジングから離脱する方向の反発力を生じさせる弾性アームと、を備え、
前記ビーク部は、頂部を境に、前記第一ハウジングの前方側に前記第一ハウジングの後方へ向かって次第に外方へ傾斜する押し戻し面を有し、前記第一ハウジングの後方側に前記第一ハウジングの後方へ向かって次第に内方へ傾斜する引き込み面を有し、
前記係止突起と前記係止突起を係止した前記ロック片との境に前記係止アームの前記係止爪が達した時点で、前記弾性アームの前記押圧爪が前記ビーク部の前記頂部を越えて前記引き込み面側に配置される
ことを特徴とするコネクタ。
【請求項２】
前記係止突起を係止した前記ロック片は、外面が前記係止突起の頂部よりも内側に配置される
ことを特徴とする請求項１に記載のコネクタ。
【請求項３】
前記ロック片は、その外面が、前記第二ハウジングの前方側へ向かって次第に内方へ傾斜する傾斜面とされている
ことを特徴とする請求項１または請求項２に記載のコネクタ。
【請求項４】
前記第一ハウジングには、一対の前記ビーク部が外周面における互いに反対側に設けられ、前記嵌合保証部材には、前記ビーク部にそれぞれ接触する前記押圧爪を有する一対の前記弾性アームが設けられている
ことを特徴とする請求項１〜３のいずれか一項に記載のコネクタ。
【発明の詳細な説明】
【技術分野】
【０００１】
本発明は、コネクタに関する。
【背景技術】
【０００２】
ハウジング同士の嵌合状態をＣＰＡ部材で保証するコネクタ位置保証（ＣＰＡ：Connector Position Assurance）機能を備えたコネクタがある（例えば、特許文献１参照）。このＣＰＡ機能を備えたコネクタでは、ロックアームを有するハウジングに嵌合保証部材を組付けて相手側ハウジングへ嵌合させることで、ハウジングのロックアームのロック部が嵌合保証部材の弾性アームの爪部によって押し込まれる。そして、ロックアームのロック部が相手側ハウジングの係止突起を乗り越えて係止した後、弾性アームの爪部が係止突起及びロック部を乗り越えてロック部を係止する。これにより、ハウジングのロックアームのロック部による相手側ハウジングの係止突起への係止状態が嵌合保証部材で維持される。そして、このコネクタでは、弾性アームの爪部が相手側ハウジングの係止突起を乗り越えさせる際に反発力が生じる。したがって、中途嵌合状態で嵌合作業を止めると、ハウジング同士が離脱されて中途嵌合が抑制される。
【先行技術文献】
【特許文献】
【０００３】
【特許文献１】特許第５３４１４７７号公報
【発明の概要】
【発明が解決しようとする課題】
【０００４】
ところで、ロックアームのロック部による相手側ハウジングの係止突起の係止後、弾性アームの爪部が係止突起及びロック部を乗り越えてロック部を係止するとき、爪部が係止突起とロック部との境を通過することとなる。すると、係止突起とロック部との境を爪部が通過する際の引っ掛かる感触が嵌合作業を行う作業者に伝わり、その感触を嵌合保証部材の装着完了と認識してしまい、ハウジング同士の嵌合作業が滞るおそれがあった。
【０００５】
本発明は、上述した事情に鑑みてなされたものであり、その目的は、ハウジング同士の嵌合作業を円滑に行うことが可能なコネクタを提供することにある。
【課題を解決するための手段】
【０００６】
前述した目的を達成するために、本発明に係るコネクタは、下記（１）〜（４）を特徴としている。
（１）  第一ハウジングと、前記第一ハウジングに嵌合される第二ハウジングと、前記第二ハウジングに組付けられて前記第一ハウジングに対する前記第二ハウジングの嵌合状態を保証する嵌合保証部材と、を備えたコネクタであって、
前記第一ハウジングは、それぞれ外周面から外方へ突出する係止突起及びビーク部を備え、
前記第二ハウジングは、前記第一ハウジングと嵌合されることで前記係止突起を乗り越えて係止するロック片を有するロックアームを備え、
前記嵌合保証部材は、前記ロック片を押圧して前記係止突起を乗り越えさせるとともに、前記係止突起及び前記係止突起を係止した前記ロック片を乗り越えて係止する係止爪を有する係止アームと、前記第一ハウジングに対する前記第二ハウジングの嵌合途中に、先端の押圧爪が前記ビーク部と接触することで弾性変形して前記第一ハウジングから離脱する方向の反発力を生じさせる弾性アームと、を備え、
前記ビーク部は、頂部を境に、前記第一ハウジングの前方側に前記第一ハウジングの後方へ向かって次第に外方へ傾斜する押し戻し面を有し、前記第一ハウジングの後方側に前記第一ハウジングの後方へ向かって次第に内方へ傾斜する引き込み面を有し、
前記係止突起と前記係止突起を係止した前記ロック片との境に前記係止アームの前記係止爪が達した時点で、前記弾性アームの前記押圧爪が前記ビーク部の前記頂部を越えて前記引き込み面側に配置される
ことを特徴とするコネクタ。
（２）  前記係止突起を係止した前記ロック片は、外面が前記係止突起の頂部よりも内側に配置される
ことを特徴とする（１）に記載のコネクタ。
（３）  前記ロック片は、その外面が、前記第二ハウジングの前方側へ向かって次第に内方へ傾斜する傾斜面とされている
ことを特徴とする（１）または（２）に記載のコネクタ。
（４）  前記第一ハウジングには、一対の前記ビーク部が外周面における互いに反対側に設けられ、前記嵌合保証部材には、前記ビーク部にそれぞれ接触する前記押圧爪を有する一対の前記弾性アームが設けられている
ことを特徴とする（１）〜（３）のいずれか一つに記載のコネクタ。
【０００７】
上記（１）の構成のコネクタによれば、第一ハウジングに対して第二ハウジングが嵌合されて係止アームの係止爪が係止突起とロック片との境に達した時点で、嵌合保証部材の弾性アームの押圧爪がビーク部の頂部を越えて引き込み面側に配置される。これにより、押圧爪が引き込み面に沿って案内されることで弾性アームが第一ハウジング側へ引き込まれる。したがって、係止アームの係止爪が係止突起とロック片との境を通過する際の引っ掛かる感触を作業者に対して感じさせにくくすることができる。これにより、作業者による嵌合作業を円滑に行わせることができる。
上記（２）の構成のコネクタによれば、係止突起を係止したロック片の外面が係止突起の頂部よりも内側に配置されるので、係止突起とロック片との境を係止アームの係止爪が円滑に通過されることとなる。これにより、引っ掛かる感触を作業者へより感じさせにくくすることができる。
上記（３）の構成のコネクタによれば、係止突起とロック片との境を越えた係止アームの係止爪を、第二ハウジングの前方側へ向かって次第に内方へ傾斜する傾斜面とされたロック片の傾斜した外面によって第二ハウジングの前方へ案内させることができる。これにより、引っ掛かる感触を作業者へより感じさせにくくすることができる。
上記（４）の構成のコネクタによれば、第一ハウジングの一対のビーク部に嵌合保証部材の一対の弾性アームの押圧爪が接触することで、反発力及び引き込み力をバランスよく生じさせることができる。
【発明の効果】
【０００８】
本発明によれば、ハウジング同士の嵌合作業を円滑に行うことが可能なコネクタを提供できる。
【０００９】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１０】
【図１】図１は、本実施形態に係るコネクタを示す分解斜視図である。
【図２】図２は、本実施形態に係るコネクタを示す図であって、図２（ａ）は、オスハウジング側からの正面図、図２（ｂ）は、オスハウジング、メスハウジング及び嵌合保証部材の側面図である。
【図３】図３は、本実施形態に係るコネクタを示す図であって、図３（ａ）は図２（ａ）におけるＡ−Ａ断面図、図３（ｂ）は図２（ａ）におけるＢ−Ｂ断面図、図３（ｃ）は図２（ａ）におけるＣ−Ｃ断面図である。
【図４】図４は、オスハウジングの分解斜視図である。
【図５】図５は、メスハウジングの分解斜視図である。
【図６】図６は、嵌合保証部材を示す図であって、図６（ａ）は斜視図、図６（ｂ）は鉛直方向に沿って切断した斜視図、図６（ｃ）は水平方向に沿って切断した斜視図である。
【図７】図７は、コネクタの嵌合操作時の状態を示す図であって、図７（ａ）は図２（ａ）におけるＡ−Ａ断面図、図７（ｂ）は図２（ａ）におけるＢ−Ｂ断面図、図７（ｃ）は図２（ａ）におけるＣ−Ｃ断面図である。
【図８】図８は、コネクタの嵌合操作時の状態を示す図であって、図８（ａ）は図２（ａ）におけるＡ−Ａ断面図、図８（ｂ）は図２（ａ）におけるＢ−Ｂ断面図、図８（ｃ）は図２（ａ）におけるＣ−Ｃ断面図である。
【図９】図９は、コネクタの嵌合操作時の状態を示す図であって、図９（ａ）は図２（ａ）におけるＡ−Ａ断面図、図９（ｂ）は図２（ａ）におけるＢ−Ｂ断面図、図９（ｃ）は図２（ａ）におけるＣ−Ｃ断面図である。
【図１０】図１０は、コネクタの嵌合操作時の状態を示す図であって、図１０（ａ）は図２（ａ）におけるＡ−Ａ断面図、図１０（ｂ）は図２（ａ）におけるＢ−Ｂ断面図、図１０（ｃ）は図２（ａ）におけるＣ−Ｃ断面図である。
【図１１】図１１は、コネクタの嵌合操作時の状態を示す図であって、図１１（ａ）は図２（ａ）におけるＡ−Ａ断面図、図１１（ｂ）は図２（ａ）におけるＢ−Ｂ断面図、図１１（ｃ）は図２（ａ）におけるＣ−Ｃ断面図である。
【図１２】図１２は、コネクタの嵌合操作時の状態を示す図であって、図１２（ａ）は図２（ａ）におけるＡ−Ａ断面図、図１２（ｂ）は図２（ａ）におけるＢ−Ｂ断面図、図１２（ｃ）は図２（ａ）におけるＣ−Ｃ断面図である。
【図１３】図１３は、コネクタの離脱操作時の状態を示す図であって、図１３（ａ）は図２（ａ）におけるＡ−Ａ断面図、図１３（ｂ）は図２（ａ）におけるＢ−Ｂ断面図、図１３（ｃ）は図２（ａ）におけるＣ−Ｃ断面図である。
【図１４】図１４は、コネクタの離脱操作時の状態を示す図であって、図１４（ａ）は図２（ａ）におけるＡ−Ａ断面図、図１４（ｂ）は図２（ａ）におけるＢ−Ｂ断面図、図１４（ｃ）は図２（ａ）におけるＣ−Ｃ断面図である。
【図１５】図１５は、ロック片の他の形状を示すロック片及びその周辺の断面図である。
【発明を実施するための形態】
【００１１】
以下、本発明に係る実施の形態の例を、図面を参照して説明する。
図１は、本実施形態に係るコネクタを示す分解斜視図である。図２は、本実施形態に係るコネクタを示す図であって、図２（ａ）は、オスハウジング側からの正面図、図２（ｂ）は、オスハウジング、メスハウジング及び嵌合保証部材の側面図である。図３は、本実施形態に係るコネクタを示す図であって、図３（ａ）は図２（ａ）におけるＡ−Ａ断面図、図３（ｂ）は図２（ａ）におけるＢ−Ｂ断面図、図３（ｃ）は図２（ａ）におけるＣ−Ｃ断面図である。
【００１２】
図１〜図３に示すように、本実施形態に係るコネクタ１０は、オスハウジング（第一ハウジング）２０と、オスハウジング２０に嵌合されるメスハウジング（第二ハウジング）５０と、メスハウジング５０に組付けられる嵌合保証部材８０とを備えている。オスハウジング２０は嵌合部２０ａを有し、メスハウジング５０は接続部５０ａを有している。コネクタ１０は、オスハウジング２０の嵌合部２０ａにメスハウジング５０の接続部５０ａを嵌合させることで、オスハウジング２０とメスハウジング５０とが互いに接合される。このコネクタ１０は、オスハウジング２０に対するメスハウジング５０の嵌合状態を、嵌合保証部材８０によって嵌合保証するコネクタ位置保証（ＣＰＡ：Connector Position Assurance）機能を備えたコネクタである。このコネクタ１０は、例えば、自動車等に設けられる車載のエアバッグシステムの電気コネクタを構成する。オスハウジング２０は、例えば、エアバッグシステムのインフレータなどの機器１に設けられる。
【００１３】
図４は、オスハウジングの分解斜視図である。
図３（ａ）〜図３（ｃ）及び図４に示すように、オスハウジング２０は、合成樹脂から成形されたもので、筒状の嵌合部２０ａを有している。このオスハウジング２０には、二つのオス端子（接続端子）２５が設けられている。オス端子２５は、例えば、銅または銅合金等の導電性金属材料からなる細長の棒材に曲げ加工を施して形成されている。これらのオス端子２５は、オスハウジング２０の先端側へ延びるタブ部２６と、オスハウジング２０の後端側へ延びる配線部２７と、これらのタブ部２６と配線部２７との間を繋ぐ連設部２８とを有している。オス端子２５は、例えば、インサート成形することでオスハウジング２０に一体的に設けられている。オス端子２５は、配線部２７及び連設部２８がオスハウジング２０に埋め込まれ、タブ部２６がオスハウジング２０の嵌合部２０ａの内部に配置されている。オス端子２５は、配線部２７がオスハウジング２０の後端面で露出されており、この配線部２７に、機器１側の配線が接続される。
【００１４】
オスハウジング２０は、オス端子２５のタブ部２６に隣接する位置に収容凹部３０を有しており、この収容凹部３０には、ショート端子３１が収容されている。ショート端子３１は、例えば、銅または銅合金等の導電性金属材料から形成された板状のもので、接点３１ａを有している。ショート端子３１は、オスハウジング２０にメスハウジング５０が嵌合されていない非嵌合状態において、接点３１ａがオス端子２５の配線部２７に接触されている。これにより、オス端子２５同士がショート端子３１で導通され、例えば、エアバッグシステムのインフレータ側の回路が短絡状態とされる。これにより、例えば、インフレータ側の回路では、警告灯が点灯することで、オスハウジング２０にメスハウジング５０が正規嵌合されていないことが警告される。
【００１５】
オスハウジング２０は、その上部に、係止突起３２を有している。係止突起３２は、オスハウジング２０の上部における幅方向中央位置に形成されている。係止突起３２は、オスハウジング２０の外周面から突設されており、メスハウジング５０との嵌合方向（以下、単に嵌合方向と呼ぶ）の前方側には、オスハウジング２０の後方側へ向かって次第に上方へ傾斜したガイド面３３が形成されている。
【００１６】
また、オスハウジング２０は、その外周面における両側部に、外側へ突出する一対のビーク部３５を有している。ビーク部３５は、頂部を境に、オスハウジング２０の前方側に押し戻し面３６を有し、オスハウジング２０の後方側に引き込み面３７を有している。押し戻し面３６は、オスハウジング２０の後方へ向かって次第に外方へ傾斜する傾斜面であり、引き込み面３７は、オスハウジング２０の後方へ向かって次第に内方へ傾斜する傾斜面である。
【００１７】
図５は、メスハウジングの分解斜視図である。
図３（ａ）〜図３（ｃ）及び図５に示すように、メスハウジング５０は、合成樹脂から成形されたもので、接続部５０ａが突設されている。この接続部５０ａには、二つの端子収容室５２が形成されている。これらの端子収容室５２には、電線５３の端部に接続されたメス端子（接続端子）５５が収容されており、電線５３は、メスハウジング５０の後端から引き出されている。端子収容室５２には、電線５３に装着されたシール部材５４がメスハウジング５０の後端側から嵌め込まれている。これにより、メス端子５５が収容されたメスハウジング５０の端子収容室５２が止水されている。
【００１８】
メス端子５５は、例えば、銅または銅合金等の導電性金属材料から形成されたもので、電線５３に圧着されて接続されている。このメス端子５５は、筒状に形成された電気接続部５６を有している。
【００１９】
メスハウジング５０の接続部５０ａには、先端側からオスハウジング２０との接合箇所をシールする環状のシール部材５７が装着されている。さらに、この接続部５０ａには、合成樹脂から成形されたフロントホルダー５８が組付けられている。そして、このフロントホルダー５８が接続部５０ａに組付けられることで、シール部材５７が接続部５０ａに保持されている。また、接続部５０ａには、オスハウジング２０との嵌合方向（以下、単に嵌合方向と呼ぶ）の前方へ向かって突出する絶縁板部５９が形成されている。この絶縁板部５９は、端子収容室５２に収容されたメス端子５５の配列方向に沿って形成されている。
【００２０】
メスハウジング５０には、その上部における後端寄りに、ロック部材６１が設けられている。このロック部材６１は、矩形状の枠体からなる揺動枠部６２と、この揺動枠部６２の先端側に連設されて一体に設けられたロックアーム６３とを有している。ロックアーム６３は、揺動枠部６２の内側に配置されている。ロックアーム６３は、後端側がメスハウジング５０の上部に連設されている。ロックアーム６３には、その先端部に、板状に形成されたロック片６４が形成されている。このロック片６４は、その外面が平坦面とされている。揺動枠部６２は、その後端側が操作部６５とされている。ロック部材６１は、操作部６５を押下することで、ロックアーム６３が弾性変形する。これにより、ロックアーム６３の先端のロック片６４がメスハウジング５０から離間する方向へ変位する。
【００２１】
図６は、嵌合保証部材を示す図であって、図６（ａ）は斜視図、図６（ｂ）は鉛直方向に沿って切断した斜視図、図６（ｃ）は水平方向に沿って切断した斜視図である。
図３（ａ）〜図３（ｃ）及び図６（ａ）〜図６（ｃ）に示すように、嵌合保証部材８０は、合成樹脂から成形されたもので、底壁部８１と、側壁部８２と、上壁部８３と、後壁部８４とを有する箱型に形成されている。嵌合保証部材８０は、その前方側が開口されており、メスハウジング５０に対して、後端側から組付けられる。これにより、メスハウジング５０は、嵌合保証部材８０に嵌め込まれて周囲が覆われる。嵌合保証部材８０の後壁部８４には、挿通孔８４ａが形成されており、メスハウジング５０の後端から引き出される電線５３が挿通孔８４ａに通される。
【００２２】
嵌合保証部材８０は、上壁部８３に、係止アーム９０を有している。係止アーム９０は、嵌合保証部材８０の前方へ向かって延びており、弾性変形可能とされている。係止アーム９０には、その先端に、嵌合保証部材８０の内側へ向かって突出する係止爪９１が形成されている。この係止アーム９０は、その先端面が押圧面９２とされている。
【００２３】
また、嵌合保証部材８０は、両側壁部８２に、それぞれ弾性アーム９５を有している。弾性アーム９５は、嵌合保証部材８０の前方へ向かって延びており、弾性変形可能とされている。弾性アーム９５には、その先端に、嵌合保証部材８０の内側へ向かって突出する押圧爪９６が形成されている。
【００２４】
次に、上記構造のコネクタ１０において、オスハウジング２０とメスハウジング５０とを嵌合させる場合について説明する。
図７〜図１２は、コネクタの嵌合操作時の状態の変化を示す図である。
【００２５】
まず、メスハウジング５０の後端側から嵌合保証部材８０を組付け、嵌合保証部材８０内にメスハウジング５０を嵌め込む。このようにすると、嵌合保証部材８０の係止アーム９０の押圧面９２がメスハウジング５０のロック部材６１のロックアーム６３に形成されたロック片６４に当接される。
【００２６】
メスハウジング５０に嵌合保証部材８０を組付けたら、図７（ａ）〜図７（ｃ）に示すように、嵌合保証部材８０が組付けられたメスハウジング５０の接続部５０ａをオスハウジング２０の嵌合部２０ａに近接させて嵌め込む。
【００２７】
オスハウジング２０の嵌合部２０ａにメスハウジング５０の接続部５０ａを嵌め込んだら、メスハウジング５０に仮係止された嵌合保証部材８０をオスハウジング２０へ向かって押し込む。すると、図８（ａ）に示すように、ロックアーム６３のロック片６４がオスハウジング２０の係止突起３２のガイド面３３に当接して摺動し、この係止突起３２を乗り上げ始める。この中途嵌合状態において、図８（ｂ）に示すように、オスハウジング２０の嵌合部２０ａがメスハウジング５０の接続部５０ａのシール部材５７に接触し始める。また、メスハウジング５０の端子収容室５２へオス端子２５のタブ部２６の先端部分が僅かに挿入される。なお、この時点で、オス端子２５はメス端子５５に対して非接触の状態である。また、この中途嵌合状態では、図８（ｃ）に示すように、嵌合保証部材８０の弾性アーム９５の押圧爪９６は、オスハウジング２０のビーク部３５よりも後方側に配置される。
【００２８】
そして、この中途嵌合状態では、係止突起３２をロック片６４が乗り上げ始めたロックアーム６３で反発力が生じる。したがって、この中途嵌合状態で嵌め込み作業を止めると、ロックアーム６３で生じた反発力によってオスハウジング２０に対してメスハウジング５０が嵌合保証部材８０とともに押し戻される。
【００２９】
嵌合保証部材８０をオスハウジング２０へ向かってさらに押し込むと、図９（ａ）に示すように、ロックアーム６３のロック片６４がオスハウジング２０の係止突起３２に乗り上げ、さらに、係止突起３２のガイド面３３に嵌合保証部材８０の係止アーム９０の係止爪９１が当接される。この中途嵌合状態において、図９（ｂ）に示すように、オスハウジング２０の嵌合部２０ａがメスハウジング５０の接続部５０ａのシール部材５７に密着し、オスハウジング２０とメスハウジング５０との接合箇所がシールされる。なお、メスハウジング５０の端子収容室５２へオス端子２５のタブ部２６が挿入されるが、この時点においても、オス端子２５はメス端子５５に対して確実に接触していない状態である。また、この中途嵌合状態では、図９（ｃ）に示すように、嵌合保証部材８０の弾性アーム９５の押圧爪９６が、オスハウジング２０のビーク部３５の押し戻し面３６に接触し、ビーク部３５を乗り上げ始める。
【００３０】
そして、この中途嵌合状態では、係止爪９１が係止突起３２のガイド面３３を摺動する係止アーム９０及び押圧爪９６がビーク部３５の押し戻し面３６に接触してビーク部３５を乗り上げ始めた弾性アーム９５で反発力が生じる。したがって、この中途嵌合状態で嵌め込み作業を止めた場合も、係止アーム９０及び弾性アーム９５で生じた反発力によってオスハウジング２０に対してメスハウジング５０が嵌合保証部材８０とともに押し戻される。
【００３１】
嵌合保証部材８０をオスハウジング２０へ向かってさらに押し込むと、図１０（ａ）に示すように、ロックアーム６３のロック片６４がオスハウジング２０の係止突起３２をほぼ乗り越え、さらに、係止突起３２のガイド面３３を係止アーム９０の係止爪９１が摺動する。この中途嵌合状態では、図１０（ｂ）に示すように、メスハウジング５０の端子収容室５２へオス端子２５のタブ部２６が挿入され、オス端子２５とメス端子５５とが導通される。また、メスハウジング５０の絶縁板部５９によってオスハウジング２０のショート端子３１が押し下げられて接点３１ａがオス端子２５のタブ部２６から離間され、ショート端子３１によるオス端子２５同士の導通状態が解除される。これにより、例えば、インフレータ側の回路において、警告灯が消灯する。また、この中途嵌合状態では、図１０（ｃ）に示すように、オスハウジング２０のビーク部３５の押し戻し面３６を嵌合保証部材８０の弾性アーム９５の押圧爪９６が摺動する。
【００３２】
そして、この中途嵌合状態では、係止爪９１が係止突起３２のガイド面３３を摺動する係止アーム９０及び押圧爪９６がビーク部３５の押し戻し面３６を摺動する弾性アーム９５で反発力が生じる。したがって、この中途嵌合状態で嵌め込み作業を止めた場合も、係止アーム９０及び弾性アーム９５で生じた反発力によってオスハウジング２０に対してメスハウジング５０が嵌合保証部材８０とともに押し戻される。
【００３３】
嵌合保証部材８０をオスハウジング２０へ向かってさらに押し込むと、図１１（ａ）に示すように、ロック片６４がオスハウジング２０の係止突起３２を乗り越えることでロックアーム６３が復元し、ロック片６４が係止突起３２を係止する。また、押圧面９２でロック片６４を押圧していた嵌合保証部材８０の係止アーム９０の係止爪９１が係止突起３２に乗り上げ、係止突起３２とロック片６４との境に達する。この状態で、図１１（ｂ）に示すように、オスハウジング２０に対してメスハウジング５０が嵌合された状態となり、メスハウジング５０の端子収容室５２へオス端子２５のタブ部２６が挿入され、オス端子２５とメス端子５５とが導通されて電気的に接続される。この嵌合状態において、図１１（ｃ）に示すように、嵌合保証部材８０の弾性アーム９５の押圧爪９６は、オスハウジング２０のビーク部３５の頂部を僅かに乗り越えて引き込み面３７側に達する。
【００３４】
そして、オスハウジング２０に対してメスハウジング５０が嵌合されると、嵌合保証部材８０は、オスハウジング２０のビーク部３５の頂部を僅かに超えた位置に達した弾性アーム９５の押圧爪９６がビーク部３５の引き込み面３７に接する。すると、弾性アーム９５の弾性力によって押圧爪９６が引き込み面３７に押し付けられる。これにより、弾性アーム９５には、嵌合保証部材８０をオスハウジング２０側へ引き込む引き込み力が生じ、その引き込み力が嵌合保証部材８０に付与される。
【００３５】
また、このとき、ロック片６４の平坦面からなる外面は、係止突起３２の頂部位置よりも内側に配置される。したがって、係止突起３２とロック片６４との境に達した係止アーム９０の係止爪９１は、嵌合保証部材８０がオスハウジング２０側へ引き込まれることで、ロック片６４に引っ掛かることなく円滑にロック片６４を乗り越える。
【００３６】
そして、図１２（ａ）〜図１２（ｃ）に示すように、嵌合保証部材８０は、係止アーム９０の係止爪９１が、係止突起３２を係止しているロック片６４を乗り越えて係止する（図１２（ａ）参照）。これにより、コネクタ１０は、オスハウジング２０とメスハウジング５０との嵌合状態が嵌合保証部材８０によって保証された状態となる。
【００３７】
次に、上記構造のコネクタ１０において、嵌合保証部材８０を外し、嵌合状態のオスハウジング２０とメスハウジング５０とを離脱させる場合について説明する。
図１３及び図１４は、コネクタの離脱操作時の状態の変化を示す図である。
【００３８】
オスハウジング２０とメスハウジング５０とを離脱させるには、まず、図１３（ａ）〜図１３（ｃ）に示すように、嵌合保証部材８０をメスハウジング５０の後方側へ移動させる。すると、ロック片６４を係止していた係止アーム９０の係止爪９１がロック片６４から外れる（図１３（ａ）参照）。このとき、嵌合保証部材８０の弾性アーム９５の押圧爪９６は、オスハウジング２０のビーク部３５の引き込み面３７に当接される（図１３（ｃ）参照）。
【００３９】
その後、図１４（ａ）〜図１４（ｃ）に示すように、嵌合保証部材８０をメスハウジング５０の後方側へさらに移動させる。すると、係止アーム９０の係止爪９１が係止突起３２から外れる（図１４（ａ）参照）。また、弾性アーム９５の押圧爪９６は、オスハウジング２０のビーク部３５の頂部を越えて押し戻し面３６側へ配置される（図１４（ｃ）参照）。
【００４０】
このように、嵌合保証部材８０をメスハウジング５０の後端側へ移動させる際に、弾性アーム９５の押圧爪９６は、ビーク部３５に引っ掛かることなくビーク部３５の引き込み面３７を滑らかに摺動して頂部を超える。また、弾性アーム９５の押圧爪９６がビーク部３５を超えて押し戻し面３６に達すると、押圧爪９６が弾性アーム９５の弾性力で押し戻し面３６に押し付けられる。これにより、嵌合保証部材８０には、メスハウジング５０の後方へ向かう反発力が付与される。したがって、嵌合保証部材８０の離脱作業を容易に行うことができる。
【００４１】
嵌合保証部材８０をメスハウジング５０の後方へ移動させたら、メスハウジング５０のロック部材６１の操作部６５を押し下げる。すると、揺動枠部６２が揺動してロックアーム６３が弾性変形し、ロック片６４が係止突起３２から外れる。したがって、この状態で、オスハウジング２０からメスハウジング５０を引き抜くことで、オスハウジング２０とメスハウジング５０とが離脱され、オス端子２５とメス端子５５との電気的な接続状態が解除される。
【００４２】
以上、説明したように、本実施形態に係るコネクタによれば、オスハウジング２０に対してメスハウジング５０が嵌合されて係止アーム９０の係止爪９１が係止突起３２とロック片６４との境に達した時点で、嵌合保証部材８０の弾性アーム９５の押圧爪９６がビーク部３５の頂部を越えて引き込み面３７側に配置される。これにより、押圧爪９６が引き込み面３７に沿って案内されることで弾性アーム９５がオスハウジング２０側へ引き込まれる。したがって、係止アーム９０の係止爪９１が係止突起３２とロック片６４との境を通過する際の引っ掛かる感触を作業者に対して感じさせにくくすることができる。これにより、作業者による嵌合作業を円滑に行わせることができる。
【００４３】
しかも、係止突起３２を係止したロック片６４の外面が係止突起３２の頂部よりも内側に配置されるので、係止突起３２とロック片６４との境を係止アーム９０の係止爪９１が円滑に通過されることとなる。これにより、引っ掛かる感触を作業者へより感じさせにくくすることができる。
【００４４】
また、オスハウジング２０の外周面において、互いに反対側に設けられた一対のビーク部３５に嵌合保証部材８０の一対の弾性アーム９５の押圧爪９６が接触することで、反発力及び引き込み力をバランスよく生じさせることができる。
【００４５】
なお、上記実施形態では、オスハウジング２０がインフレータなどの機器１に設けられる場合を例示したが、オスハウジング２０としては、電線に接続されたオス端子を端子収容室に収容する構造であってもよい。
【００４６】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４７】
例えば、図１５に示すように、ロック片６４の外面を、オスハウジング２０への嵌合方向の前方側へ向かって次第に内方へ傾斜する傾斜面としてもよい。このようにすれば、係止突起３２とロック片６４との境に達した係止アーム９０の係止爪９１を、ロック片６４の傾斜した外面によってメスハウジング５０の前方へ案内させることができる。これにより、係止突起３２とロック片６４との境に係止爪９１が引っ掛かる感触を作業者へより感じさせにくくすることができる。
【００４８】
ここで、上述した本発明に係るコネクタの実施形態の特徴をそれぞれ以下［１］〜［４］に簡潔に纏めて列記する。
［１］  第一ハウジング（オスハウジング２０）と、前記第一ハウジング（オスハウジング２０）に嵌合される第二ハウジング（メスハウジング５０）と、前記第二ハウジング（メスハウジング５０）に組付けられて前記第一ハウジング（オスハウジング２０）に対する前記第二ハウジング（メスハウジング５０）の嵌合状態を保証する嵌合保証部材（８０）と、を備えたコネクタ（１０）であって、
前記第一ハウジング（オスハウジング２０）は、それぞれ外周面から外方へ突出する係止突起（３２）及びビーク部（３５）を備え、
前記第二ハウジング（メスハウジング５０）は、前記第一ハウジング（オスハウジング２０）と嵌合されることで前記係止突起（３２）を乗り越えて係止するロック片（６４）を有するロックアーム（６３）を備え、
前記嵌合保証部材（８０）は、前記ロック片（６４）を押圧して前記係止突起（３２）を乗り越えさせるとともに、前記係止突起（３２）及び前記係止突起（３２）を係止した前記ロック片（６４）を乗り越えて係止する係止爪（９１）を有する係止アーム（９０）と、前記第一ハウジング（オスハウジング２０）に対する前記第二ハウジング（メスハウジング５０）の嵌合途中に、先端の押圧爪（９６）が前記ビーク部（３５）と接触することで弾性変形して前記第一ハウジング（オスハウジング２０）から離脱する方向の反発力を生じさせる弾性アーム（９５）と、を備え、
前記ビーク部（３５）は、頂部を境に、前記第一ハウジング（オスハウジング２０）の前方側に前記第一ハウジング（オスハウジング２０）の後方へ向かって次第に外方へ傾斜する押し戻し面（３６）を有し、前記第一ハウジング（オスハウジング２０）の後方側に前記第一ハウジング（オスハウジング２０）の後方へ向かって次第に内方へ傾斜する引き込み面（３７）を有し、
前記係止突起（３２）と前記係止突起（３２）を係止した前記ロック片（６４）との境に前記係止アーム（９０）の前記係止爪（９１）が達した時点で、前記弾性アーム（９５）の前記押圧爪（９６）が前記ビーク部（３５）の前記頂部を越えて前記引き込み面（３７）側に配置される
ことを特徴とするコネクタ。
［２］  前記係止突起（３２）を係止した前記ロック片（６４）は、外面が前記係止突起（３２）の頂部よりも内側に配置される
ことを特徴とする［１］に記載のコネクタ。
［３］  前記ロック片（６４）は、その外面が、前記第二ハウジング（メスハウジング５０）の前方側へ向かって次第に内方へ傾斜する傾斜面とされている
ことを特徴とする［１］または［２］に記載のコネクタ。
［４］  前記第一ハウジング（オスハウジング２０）には、一対の前記ビーク部（３５）が外周面における互いに反対側に設けられ、前記嵌合保証部材（８０）には、前記ビーク部（３５）にそれぞれ接触する前記押圧爪（９６）を有する一対の前記弾性アーム（９５）が設けられている
ことを特徴とする［１］〜［３］のいずれか一つに記載のコネクタ。
【符号の説明】
【００４９】
１０：コネクタ
２０：オスハウジング（第一ハウジング）
３２：係止突起
３５：ビーク部
３６：押し戻し面
３７：引き込み面
５０：メスハウジング（第二ハウジング）
６３：ロックアーム
６４：ロック片
８０：嵌合保証部材
９０：係止アーム
９１：係止爪
９５：弾性アーム
９６：押圧爪
【図１】
2020068128.tif 000003
【図２】
2020068128.tif 000004
【図３】
2020068128.tif 000005
【図４】
2020068128.tif 000006
【図５】
2020068128.tif 000007
【図６】
2020068128.tif 000008
【図７】
2020068128.tif 000009
【図８】
2020068128.tif 000010
【図９】
2020068128.tif 000011
【図１０】
2020068128.tif 000012
【図１１】
2020068128.tif 000013
【図１２】
2020068128.tif 000014
【図１３】
2020068128.tif 000015
【図１４】
2020068128.tif 000016
【図１５】
2020068128.tif 000017